(57)【要約】【課題】  高層ビル内の電波の届かない各戸のスマートメータに対する通信手段として、既存のＣＡＴＶ網および設備を流用して、新たな設備構築の規模を小さくし、スマートメータのデータを取得可能にするスマートメータのデータ収集システムを提供する。【解決手段】  ＣＡＴＶ局２０−１は、既存の通信網で使用される第３のルータ３１−１を備え、ポーリングを実施して送信要求の問い合わせを行い、スマートメータ１２−１は、ＷＨ値を記録するための拡張ＭＩＢが設けられているケーブルモデム１２１−１と、標準ＭＩＢ１２２３−１が設けられている第２のルータ１２２−１とを備え、ケーブルモデム１２１−１は、ポーリングに応じて、拡張ＭＩＢに記録されているＷＨ値を標準ＭＩＢ１２２３−１に転送し、第２のルータ１２２−１は、標準ＭＩＢ１２２３−１に記録されているＷＨ値を、ＣＡＴＶ網ＮＷ−１と既存の通信網を経由して、センター局３０の第３のルータ３１−１に向けて転送する。【選択図】  図１
2014135559.tif 000002
【特許請求の範囲】
【請求項１】
ＣＡＴＶ局が管理するＣＡＴＶ網を利用して、スマートメータが記録した電力量の値をセンター局でＳＮＭＰ通信により収集するスマートメータのデータ収集システムであって、
前記ＣＡＴＶ局は、インターネット用通信網で使用される第１のルータを備え、ポーリングを実施して送信要求の問い合わせを行い、
前記スマートメータは、顧客が使用した電力量の値を記録するための拡張ＭＩＢが設けられているケーブルモデムと、前記電力量の値を記録するための標準ＭＩＢが設けられている第２のルータとを備え、
前記ケーブルモデムは、前記ＣＡＴＶ局によるポーリングに応じて、前記拡張ＭＩＢに記録されている電力量の値を前記第２のルータの標準ＭＩＢに転送し、
前記第２のルータは、前記標準ＭＩＢに記録されている電力量の値を、前記ＣＡＴＶ網と、前記インターネット用通信網とを経由して、前記センター局の第３のルータに向けて転送する、
ことを特徴とするスマートメータのデータ収集システム。
【請求項２】
前記スマートメータは、前記第２のルータの標準ＭＩＢに、特定のオブジェクト識別子に対応して、前記スマートメータに記録されている電力量の値を設定し、
前記センター局は、前記スマートメータの前記第２のルータの標準ＭＩＢのオブジェクト識別子で特定される電力量の値のみを前記ＳＮＭＰ通信で取得する、
ことを特徴とする請求項１に記載のスマートメータのデータ収集システム。
【発明の詳細な説明】
【技術分野】
【０００１】
この発明は、通信網を利用して、スマートメータのデータを収集するスマートメータのデータ収集システムに関する。
【背景技術】
【０００２】
電子式メータであるスマートメータは、顧客宅等の各所に設置されて用いられる。そして、積算された電力の値であるＷＨ値をデータとしてスマートメータから取得するために、電柱上の無線基地局を電力会社が利用している。しかし、例えばスマートメータが高層ビル内の高い場所に設置されている場合に、このスマートメータからＷＨ値を取得するときに、電柱上の無線基地局からの電波が届きにくく、データ取得に時間がかかる。
【０００３】
こうした状況を背景に、昨今は、ＰＬＣ（Ｐｏｗｅｒ  Ｌｉｎｅ  Ｃｏｍｍｕｎｉｃａｔｉｏｎ：電力線搬送通信）、光ファイバー、無線などの手段を用いるほかに、ＣＡＴＶ（Ｃｏｍｍｕｎｉｔｙ  Ａｎｔｅｎｎａ  ＴｅｌｅＶｉｓｉｏｎ：ケーブルテレビ）インターネットを用いたＷＨ値の収集が提案されている。例えば、ＣＡＴＶ網のポーリング／セレクティング手順によるデータ通信により、メータの検針値を取得するシステムがある（例えば、特許文献１参照。）。
【先行技術文献】
【特許文献】
【０００４】
【特許文献１】特開平０５−３２８４４９号公報
【発明の概要】
【発明が解決しようとする課題】
【０００５】
しかし、高層ビル内の高い場所に設置されたスマートメータのＷＨ値を取得するのに、ＣＡＴＶインターネットを利用する場合、設備メーカにより、伝送方式や制御信号などが異なる。このため、各メーカ毎に設備を構築する必要がある。
【０００６】
また、ＣＡＴＶ網を用いる先のシステムでは、スマートメータが設置されている顧客から、ＷＨ値を収集するセンター側までの間を、ＣＡＴＶ網で接続する必要がある。
【０００７】
この発明の目的は、前記の課題を解決し、高層ビル内の電波の届かない各戸のスマートメータに対する通信手段として、既存のＣＡＴＶ網および設備を流用して、新たな設備構築の規模を小さくし、スマートメータのデータを取得可能にするスマートメータのデータ収集システムを提供することにある。
【課題を解決するための手段】
【０００８】
前記の課題を解決するために、請求項１の発明はＣＡＴＶ局が管理するＣＡＴＶ網を利用して、スマートメータが記録した電力量の値をセンター局でＳＮＭＰ通信により収集するスマートメータのデータ収集システムであって、前記ＣＡＴＶ局は、インターネット用通信網で使用される第１のルータを備え、ポーリングを実施して送信要求の問い合わせを行い、前記スマートメータは、顧客が使用した電力量の値を記録するための拡張ＭＩＢが設けられているケーブルモデムと、前記電力量の値を記録するための標準ＭＩＢが設けられている第２のルータとを備え、前記ケーブルモデムは、前記ＣＡＴＶ局によるポーリングに応じて、前記拡張ＭＩＢに記録されている電力量の値を前記第２のルータの標準ＭＩＢに転送し、前記第２のルータは、前記標準ＭＩＢに記録されている電力量の値を、前記ＣＡＴＶ網と、前記インターネット用通信網とを経由して、前記センター局の第３のルータに向けて転送する、ことを特徴とするスマートメータのデータ収集システムである。
【０００９】
請求項１の発明では、ＣＡＴＶ局は、インターネット用通信網で使用される第１のルータを備える。そして、ＣＡＴＶ局は、ポーリングを実施して送信要求の問い合わせを行う。また、スマートメータは、顧客が使用した電力量の値を記録するための拡張ＭＩＢが設けられているケーブルモデムと、電力量を記録するための標準ＭＩＢが設けられている第２のルータとを備える。こうした状態において、ケーブルモデムは、ＣＡＴＶ局によるポーリングに応じて、拡張ＭＩＢに記録されている電力量の値を第２のルータの標準ＭＩＢに転送する。第２のルータは、標準ＭＩＢに記録されている電力量の値を、ＣＡＴＶ網と、インターネット用通信網とを経由して、センター局の第３のルータに向けて転送する。
【００１０】
請求項２の発明は、請求項１に記載のスマートメータのデータ収集システムにおいて、前記スマートメータは、前記第２のルータの標準ＭＩＢに、特定のオブジェクト識別子に対応して、前記スマートメータに記録されている電力量の値を設定し、前記センター局は、前記スマートメータの前記第２のルータの標準ＭＩＢのオブジェクト識別子で特定される電力量の値のみを前記ＳＮＭＰ通信で取得する、ことを特徴とする。
【発明の効果】
【００１１】
請求項１の発明によれば、ＣＡＴＶ網とインターネット用通信網とを経由して、スマートメータ内の第２のルータからセンター局の第３のルータまで、トンネリング化することで、セキュリティ上の問題を解消することができ、また、電力量の値のみを抽出するための方法も不要にすることができる。
【００１２】
また、請求項１の発明によれば、各ＣＡＴＶ会社のＣＡＴＶ網は、各社の採用メーカ独自方式のネットワーク網を構成し、さらに、ＳＮＭＰ通信での拡張ＭＩＢも、各採用メーカ独自であることから、これら既存のＣＡＴＶ網を利用して、スマートメータのＷＨ値などを取得するには、各採用メーカ製の製品を各々設備増築するなど高額となる。しかし、請求項１の発明を用いれば、ＷＨ値の取得方法を各採用メーカの独自仕様によらないで、安価に構築可能となる。
【００１３】
さらに、請求項１の発明によれば、電柱上の無線基地局からの電波が届きにくく、データ取得に時間がかかる顧客宅、例えば高層ビル顧客宅からも、ＣＡＴＶ網を利用することにより、スマートメータから短時間で電力量の値を収集することができる。
【００１４】
請求項２の発明によれば、センター局は、オブジェクト識別子で特定される電力量の値のみを、ＳＮＭＰ通信で取得することができる。
【図面の簡単な説明】
【００１５】
【図１】この発明の実施の形態１によるスマートメータのデータ収集システムを示す構成図である。
【図２】ＳＮＭＰプロトコルを説明するための説明図であり、図２（ａ）は、ＳＮＭＰプロトコルのＳＮＭＰメッセージを示す図、図２（ｂ）は、ＰＤＵ構造を示す図、図２（ｃ）は、Ｔｒａｐ構造を示す図である。
【図３】ケーブルモデムおよびルータの一例を示す構成図である。
【図４】センター局の一例を示す構成図である。
【図５】スマートメータのデータ収集システムの動作を説明する説明図である。
【図６】ＯＩＤテーブルを示す図である。
【図７】スマートメータのデータ収集システムの動作を説明するフローチャートである。
【図８】スマートメータのデータ収集システムの動作を説明するフローチャートである。
【発明を実施するための形態】
【００１６】
次に、この発明の実施の形態について、図面を用いて詳しく説明する。
【００１７】
この実施の形態によるスマートメータのデータ収集システムを図１に示す。このスマートメータのデータ収集システム（以下、単に「データ収集システム」という）は、高層ビルにある高層ビル顧客宅Ｈ−１に設けられているケーブルモデム（ＣＭ１）１１−１とスマートメータ１２−１とを備えている。スマートメータ１２−１は、Ａ社製のケーブルモデム（ＣＭ２）１２１−１と第２のルータ１２２−１とメータ部１２３−１とを備えている。同じようにデータ収集システムは、高層ビル顧客宅Ｈ−ｎに設けられている、Ｘ社製のケーブルモデム（ＣＭ１）１１−ｎとスマートメータ１２−ｎとを備えている。スマートメータ１２−ｎは、ルータ１２１−ｎとケーブルモデム（ＣＭ２）１２２−ｎとメータ部１２３−ｎとを備えている。
【００１８】
また、データ収集システムは、Ａ社のＣＡＴＶ網ＮＷ−１〜Ｘ社のＣＡＴＶ網ＮＷ−ｎを介在して、高層ビル顧客宅Ｈ−１〜Ｈ−ｎが利用しているＣＡＴＶ局２０−１〜２０−ｎを備えている。ＣＡＴＶ局２０−１は、ヘッドエンド２１−１と、ＣＡＴＶ装置２２−１と、センターモデム２３−１と、第１のルータ２４−１と、ＳＮＭＰマネージャＡ１とを備えている。ＣＡＴＶ局２０−１のセンターモデム２３−１と第１のルータ２４−１とＳＮＭＰマネージャＡ１とは、ＬＡＮによって接続されている。同じように、ＣＡＴＶ局２０−ｎは、ヘッドエンド２１−ｎと、ＣＡＴＶ装置２２−ｎと、センターモデム２３−ｎと、第１のルータ２４−ｎと、ＳＮＭＰマネージャＸ１とを備え、センターモデム２３−ｎと第１のルータ２４−ｎとＳＮＭＰマネージャＸ１とは、ＬＡＮによって接続されている。ＣＡＴＶ局２０−１〜２０−ｎは同じ構成であるので、以下では、ＣＡＴＶ局２０−１を代表例として説明する。
【００１９】
さらに、データ収集システムはセンター局３０を備えている。センター局３０は、光ファイバーケーブル等から成り、インターネット通信が可能な既存の通信網（図示を省略）を経由して、ＣＡＴＶ局２０−１〜２０−ｎに接続されている。
【００２０】
ＣＡＴＶ局２０−１のヘッドエンド２１−１は、ＣＡＴＶ装置２２−１からの映像や音声を、ＣＡＴＶ網ＮＷ−１を経由して、各顧客、例えば高層ビル顧客宅Ｈ−１に送り出す装置である。なお、以下では、顧客については、高層ビル顧客宅Ｈ−１を代表例として説明する。
【００２１】
ＣＡＴＶ局２０−１のセンターモデム２３−１は、高層ビル顧客宅Ｈ−１とのデータ通信に用いられる。つまり、高層ビル顧客宅Ｈ−１でインターネットが使用されるときに、ヘッドエンド２１−１とＣＡＴＶ網ＮＷ−１とを経て、センターモデム２３−１は、高層ビル顧客宅Ｈ−１のケーブルモデム（ＣＭ１）１１−１や、スマートメータ１２−１のケーブルモデム（ＣＭ２）１２１−１とデータ通信を行う。
【００２２】
ＳＮＭＰマネージャＡ１は、例えば後述するＳＮＭＰエージェントＳＥ１に指示を出し、高層ビル顧客宅Ｈ−１の例えばケーブルモデム（ＣＭ２）１２１−１に蓄積されているＭＩＢ（Ｍａｎａｇｅｍｅｎｔ  Ｉｎｆｏｒｍａｔｉｏｎ  Ｂａｓｅ）情報データを取り出して、スマートメータ１２−１の管理を行う。このために、ＳＮＭＰマネージャＡ１は、ポーリングを実施して、送信要求を問い合わせる。なお、ＳＮＭＰ（Ｓｉｍｐｌｅ  Ｎｅｔｗｏｒｋ  Ｍａｎａｇｅｍｅｎｔ  Ｐｒｏｔｏｃｏｌ）は、ネットワーク機器と管理ソフトウエア間でメッセージ交換するためのプロトコル（ＵＤＰ使用）であり、ＵＤＰの上位に位置するプロトコルである。ＳＮＭＰプロトコルのＳＮＭＰメッセージは、図２（ａ）に示すように、ＩＰヘッダ、ＵＤＰヘッダ、ＳＮＭＰバージョン、コミュニティ、ＰＤＵから成る構造である。このなかで、コミュニティのコミュニティ名は、「Ｐｕｂｌｉｃ」などである。ＰＤＵは、Ｐｒｏｔｏｃｏｌ  Ｄａｔａ  Ｕｎｉｔであり、ＴＣＰ／ＩＰがパケット、Ｅｔｈｅｎｅｔがフレーム、ＡＴＭがセルである。
【００２３】
また、ＳＮＭＰメッセージにおけるＧｅｔ  Ｒｅｑｕｅｓｔ、Ｇｅｔ  Ｎｅｘｔ  Ｒｅｑｕｅｓｔ、Ｓｅｔ  Ｒｅｑｕｅｓｔ、Ｇｅｔ  ＲｅｓｐｏｎｓｅのＰＤＵ構造は、図２（ｂ）に示すように、ＰＤＵ  Ｔｙｐｅ、Ｒｅｑｕｅｓｔ  ＩＤ、Ｅｒｒｏｒ  Ｓｔａｔａｓ、Ｅｒｒｏｒ  Ｉｎｄｅｘ、Ｏｂｊｅｃｔ  Ｄａｔａから成る構造である。そして、ＰＤＵ  ＴＹＰＥフィールドは、
０：Ｇｅｔ  Ｒｅｑｕｅｓｔ
１：Ｇｅｔ  Ｎｅｘｔ  Ｒｅｑｕｅｓｔ
２：Ｇｅｔ  Ｒｅｓｐｏｎｓｅ
３：Ｓｅｔ  Ｒｅｑｕｅｓｔ＃６６９９ＦＦ
４：Ｔｒａｐ
である。ＲｅｑｕｅｓｔＩＤフィールドには、マネージャからの要求と、エージェントからの応答を関連付けるための値をセットする。Ｅｒｒｏｒ  Ｓｔａｔａｓフィールドには、正常な動作（またはＥｒｒｏｒ）あるいは定義されている５種類のエラーコードを設定する。Ｅｒｒｏｒ  Ｉｎｄｅｘフィールドには、エラー発生の場合、ＰＤＵ内に含まれるどのデータにエラーが発生したかを示す値をセットする。
【００２４】
さらに、ＳＮＭＰメッセージにおけるＴｒａｐ構造は、図２（ｃ）に示すように、ＰＤＵ  Ｔｙｐｅ、Ｅｎｔｅｒ  Ｐｒｉｓｅ、Ａｇｅｎｔ  Ａｄｄｒｅｓｓ、Ｇｅｎｅｒｉｆｉｃ  Ｔｒａｐ  Ｔｙｐｅ、Ｓｐｅｃｉｆｉｃ  Ｔｒａｐ  Ｔｙｐｅ、Ｔｉｍｅ  Ｓｔａｍｐ、Ｏｂｊｅｃｔ  Ｄａｔａから成る構造である。
【００２５】
ＣＡＴＶ局２０−１の第１のルータ２４−１は、ＣＡＴＶ局２０−１がセンター局３０とデータ通信を行うときに用いられる。
【００２６】
高層ビル顧客宅Ｈ−１に設置されているケーブルモデム（ＣＭ１）１１−１は、ＣＡＴＶ網ＮＷ−１と、ＣＡＴＶ局２０−１のヘッドエンド２１−１とを経由して、センターモデム２３−１に接続される。これにより、ケーブルモデム（ＣＭ１）１１−１は、コンピュータＰＣでインターネットを行うことを可能にする。
【００２７】
スマートメータ１２−１のメータ部１２３−１は、高層ビル顧客宅Ｈ−１で使用される所定時間毎の電力量を計測し、ＷＨ値としてそれぞれ記録する装置、つまり電力量計である。
【００２８】
スマートメータ１２−１のケーブルモデム（ＣＭ２）１２１−１は、図３に示すように、ＷＨ値取り出し部１２１１−１と、ＭＩＢ１２１２−１と、ＭＩＢデータ管理部１２１３−１と、ＳＮＭＰ処理部１２１４−１と、プロトコル解析部１２１５−１と、通信Ｉ／Ｆ（インターフェース）部１２１６−１とを備えている。さらに、ケーブルモデム部（ＣＭ２）１２１−１は、ＳＮＭＰエージェントＳＥ１を含む。
【００２９】
スマートメータ１２−１の第２のルータ１２２−１は、仮想データベース（ＤＢ）１２２１−１と、ＭＩＢ生成部１２２２−１と、標準ＭＩＢ１２２３−１と、ＭＩＢデータ管理部１２２４−１と、ＳＮＭＰ処理部１２２５−１と、プロトコル解析部１２２６−１と、通信Ｉ／Ｆ（インターフェース）部１２２７−１とを備えている。さらに、第２のルータ１２２−１は、ＳＮＭＰエージェントＳＥ２を含む。
【００３０】
ケーブルモデム（ＣＭ２）１２１−１のＭＩＢ１２１２−１は、管理情報を記録する記憶装置であり、標準ＭＩＢと拡張ＭＩＢとで形成されている。ＭＩＢは、個々の管理情報（オブジェクト）データを保持するデータベースであり、オブジェクト（Ｏｂｊｅｃｔ）は、管理情報データを一意に識別するための固有のＯＩＤ（Ｏｂｊｅｃｔ  ＩＤｅｎｔｉｆｉｅｒ：オブジェクト識別子）を持つ。標準ＭＩＢはネットワーク機器の管理情報を記録するためのものであり、拡張ＭＩＢは、例えばベンダーの自社製品用の情報を記録するためのものである。
【００３１】
ケーブルモデム（ＣＭ２）１２１−１のＷＨ値取り出し部１２１１−１は、メータ部１２３−１のＷＨ値を、ＭＩＢ１２１２−１の拡張ＭＩＢに記録する。
【００３２】
ケーブルモデム（ＣＭ２）１２１−１のＭＩＢデータ管理部１２３−１は、ＳＮＭＰ処理部１２１４−１から渡されたＭＩＢデータを処理する。ＳＮＭＰ処理部１２１４−１は、ＳＮＭＰパケットを解析し、ＡＳＮ．１（Ａｂｓｔｒａｃｔ  Ｓｙｎｔａｘ  Ｎｏｔａｔｉｏｎ  Ｏｎｅ）で記述されるＭＩＢデータを、内部処理可能な形に展開する。プロトコル解析部１２１５−１は、各種データに応じたプロトコルを解析し、適するモジュールへデータ転送を行う。通信Ｉ／Ｆ部１２１６−１は、ＬＡＮインターフェースでモジュール間通信を行う。
【００３３】
ケーブルモデム（ＣＭ２）１２１−１のＳＮＭＰエージェントＳＥ１は、ＳＮＭＰマネージャＡ１のようなマネージャからの要求に従って処理を行う。例えば、ＳＮＭＰエージェントＳＥ１は、特定ＯＩＤ番号にあるＷＨ値を抽出し、第２のルータ１２２−１の仮想ＤＢ１２２１−１にセットする。
【００３４】
第２のルータ１２２−１の仮想データベース（ＤＢ）１２２１−１は、ケーブルモデム（ＣＭ２）１２１−１からのＷＨ値を記憶する。ＭＩＢ生成部１２２２−１は、仮想データベース（ＤＢ）１２２１−１からのＷＨ値を取り込み、標準ＭＩＢ１２２３−１へＷＨ値を埋め込むためのＯＩＤテーブルを生成する。
【００３５】
第２のルータ１２２−１のＭＩＢデータ管理部１２２４−１、ＳＮＭＰ処理部１２２５−１、プロトコル解析部１２２６−１および通信Ｉ／Ｆ（インターフェース）部１２２７−１は、ケーブルモデム（ＣＭ２）１２１−１のＭＩＢデータ管理部１２１３−１、ＳＮＭＰ処理部１２１４−１、プロトコル解析部１２１５−１および通信Ｉ／Ｆ（インターフェース）部１２１６−１と同じである。
【００３６】
第２のルータ１２２−１の上位アプリケーション部は、ＳＮＭＰエージェントの機能を拡張し、仮想データベース（ＤＢ）１２２１−１へのＷＨ値をセットする。また、ＳＮＭＰエージェントＳＥ２は、例えばＳＮＭＰマネージャＡ１からの要求に従って処理を行う。
【００３７】
センター局３０は電力会社に設置されている。センター局３０は、図４に示すように、第３のルータ３１−１〜３１−ｎと、テーブル管理サーバ３２と、データ集計サーバ３３と、Ｃ社製の統合装置３４と、タイムサーバ３５と、監視制御サーバ３６とを備えている。各サーバおよび装置は、ＬＡＮで接続されている。
【００３８】
センター局３０の第３のルータ３１−１〜３１−ｎは、ＣＡＴＶ局２０−１〜２０−ｎの第１のルータ２４−１〜２４−ｎとデータ通信を行う。テーブル管理サーバ３２は、各社のＣＡＴＶ網のＯＩＤ２番号とＭＡＣ（Ｍｅｄｉａ  Ａｃｃｅｓｓ  Ｃｏｎｔｒｏｌ  ａｄｄｒｅｓｓ）アドレス番号とを対比したテーブルを管理する。データ集計サーバ３３はＷＨ値を集計する。統合装置３４は、高層ビル顧客宅Ｈ−１〜Ｈ−ｎの標準ＭＩＢのＷＨ値を抽出する装置である。統合装置３４の内部には、各ベンダーのＳＮＭＰマネージャＡ２〜Ｘ２が保持され、統合装置３４はベンダー化されている。なお、ＳＮＭＰマネージャＡ２〜Ｘ２は、ＣＡＴＶ局２０−１〜２０−ｎのＳＮＭＰマネージャＡ１〜Ｘ１と同様である。タイムサーバ３５は、ＮＴＰ（Ｎｅｔｗｏｒｋ  Ｔｉｍｅ  Ｐｒｏｔｏｃｏｌ）の利用により、ＣＭ２の時刻合せ要求に対して応答する。監視制御サーバ３６は、各種の監視制御を行う。
【００３９】
以上がこの実施の形態によるデータ収集システムの構成である。このように、高層ビル顧客宅の各スマートメータの内部には、ＣＭ２、ルータが組み込まれている。これらには、各々ＳＮＭＰエージェント、ＭＩＢ、上位アプリケーションなども組み込まれている。
【００４０】
次に、データ収集システムの動作について図５を用い、さらに、顧客宅として高層ビル顧客宅Ｈ−１を例として説明する。なお、図５では、２点鎖線がマネージャ間のＳＮＭＰ通信を表し、ＳＮＭＰプロトコルにおけるコミュニティ名「Ｄｅｎｋｉ」の場合のデータの流れを、１点鎖線で表している。また、ＳＮＭＰプロトコルにおけるコミュニティ名「Ｐｕｂｌｉｃ」の場合のデータの流れを、破線で表している。
【００４１】
スマートメータ１２−１の内部では、ケーブルモデム（ＣＭ２）１２１−１のＭＩＢ１２１２−１の拡張ＭＩＢに対して、ＷＨ値取り出し部１２１１−１の機能により、メータ部１２３−１のＷＨ値が遂次にデータ蓄積される。このとき、ケーブルモデム（ＣＭ２）１２１−１の時間精度が良ければ、ＷＨ値取り出し部１２１１−１の機能により、例えば任意の時刻にＷＨ値を取り出し、拡張ＭＩＢに蓄積する。また、ＳＮＭＰマネージャＡ１は、ケーブルモデム（ＣＭ２）１２１−１のＳＮＭＰエージェントＳＥ１に対して、任意の時間間隔でコミュニティ名を「Ｐｕｂｌｉｃ」で常時要求し、さらに、少し長い任意の時間間隔（定時刻近辺）で、「Ｄｅｎｋｉ」で要求する。その要求に応答して、ＷＨ値取り出し部１２１１−１がＷＨ値を取り出す。
【００４２】
具体的には、ＷＨ値取り出し部１２１１−１によるＷＨ値の取り出しタイミングは、任意の時間間隔で自動的に抽出してもよいし、ＳＮＭＰマネージャＡ１からの要求タイミングにより、抽出するようにしてもよい。また、ＷＨ値取り出し部１２１１−１によるＷＨ値の取り出しタイミングでは、ＷＨ値と取得時刻の両方の値を、一緒に取得するようにしてもよい。
【００４３】
ＣＡＴＶ局２０−１のＳＮＭＰマネージャＡ１から、一定間隔でポーリング信号をケーブルモデム（ＣＭ２）１２１−１に送出すると、そのメッセージをケーブルモデム（ＣＭ２）１２１−１のＳＮＭＰエージェントＳＥ１が解読する。
【００４４】
ＳＮＭＰエージェントＳＥ１は、メッセージを解読した結果、例えば、コミュニティ名が「Ｐｕｂｌｉｃ」ならば、ＭＩＢ１２１２−１の標準ＭＩＢデータを、ＣＡＴＶ局２０−１のＳＮＭＰマネージャＡ１に返す。しかし、例えば、コミュニティ名が「Ｄｅｎｋｉ」ならば、ケーブルモデム（ＣＭ２）１２１−１の上位アプリケーション部の常駐ソフトが、ＭＩＢ１２１２−１においてＷＨ値が入っている拡張ＭＩＢにアクセスし、そのＷＨ値のデータをスマートメータ１２−１内部の第２のルータ１２２−１の仮想データベース（ＤＢ）１２２１−１に、ＭＩＢと同じデータ形式（ＯＩＤ付与）で転送する。なお、仮想データベース（ＤＢ）１２２１−１の内部構成は、例えば図６に示すように、特定のＯＩＤにＷＨ値を挿入し、他のＯＩＤには、数値が入らないで、スキップできるものとする。
【００４５】
スマートメータ１２−１内部の第２のルータ１２２−１のＭＩＢ生成部１２２２−１で、仮想データベース（ＤＢ）１２２１−１に基づき、標準ＭＩＢ１２２３−１を更新して、標準ＭＩＢ１２２３−１の特定のＯＩＤに、ＷＨ値を設定する。したがって、ＣＡＴＶ局２０−１からの定期的なポーリング（例えば、コミュニティ名が「Ｄｅｎｋｉ」）の都度、スマートメータ１２−１内の第２のルータ１２２−１の標準ＭＩＢ１２２３−１の特定のＯＩＤに、ＷＨ値が設定されることになる。
【００４６】
ＷＨ値が設定された後、ＳＮＭＰエージェントＳＥ２は、センター局３０の統合装置３４のＳＮＭＰマネージャＡ２に「ＷＨ値設定完了通知」を、スマートメータ１２−１内の第２のルータ１２２−１で送信する。
【００４７】
センター局３０では、統合装置３４のＳＮＭＰマネージャＡ２は、「ＷＨ値設定完了通知」を受信した後、スマートメータ１２−１内の第２のルータ１２２−１のＳＮＭＰエージェントＳＥ２にポーリング信号送出し、第３のルータ３１−１にて、コミュニティ名を認証する。この後、センター局３０のＳＮＭＰマネージャＡ２は、スマートメータ１２−１の標準ＭＩＢ１２２３−１のＯＩＤで特定されるＷＨ値のみを、ＳＮＭＰ通信で取得する。つまり、ＳＮＭＰ通信でＷＨ値を取得することができるので、センター局３０側は、Ｃ社製の統合装置３４だけで対応可能である。
【００４８】
このように、ＷＨ値をセンター局３０が取得するための処理の一例を図７および図８に示す。なお、図７および図８では、顧客宅として高層ビル顧客宅Ｈ−１を例として説明する。ＣＡＴＶ局２０−１のＳＮＭＰマネージャＡ１は、一定時間毎にポーリングを実施して、送信要求を問い合わせる（ステップＳ１）。通常、ポーリングは、コミュニティ名を「Ｐｕｂｌｉｃ」で送信し、任意時間毎にコミュニティ名を「Ｄｅｎｋｉ」で送信する。
【００４９】
高層ビル顧客宅Ｈ−１では、ポーリングによるコミュニティ名が「Ｐｕｂｌｉｃ」であるかどうかを、ＳＮＭＰエージェントＳＥ１が判定する（ステップＳ２）。コミュニティ名が「Ｐｕｂｌｉｃ」であると、ＳＮＭＰエージェントＳＥ１は、アクセス可能を判定する（ステップＳ３）。もし、アクセス不可であると、ＳＮＭＰエージェントＳＥ１はアクセスエラーを出力する。この後、ＳＮＭＰエージェントＳＥ１は、ＷＨ値を含まない管理情報データを取得し（ステップＳ４）、ＳＮＭＰマネージャＡ１にデータを転送する（ステップＳ５）。ＳＮＭＰマネージャＡ１は、管理情報データを取得し（ステップＳ６）、全データを取得したかを判定する（ステップＳ７）。この後、ＳＮＭＰマネージャＡ１は、ネットワーク監視やＮＭＳ（Ｎｅｔｗｏｒｋ  Ｍａｎａｇｅｍｅｎｔ  Ｓｙｓｔｅｍ）によるネットワーク管理を行う。
【００５０】
一方、ステップＳ２でコミュニティ名が「Ｐｕｂｌｉｃ」でないと、コミュニティ名が「Ｄｅｎｋｉ」であるかどうかを、ＳＮＭＰエージェントＳＥ１が判定する（ステップＳ８）。もし、コミュニティ名が「Ｄｅｎｋｉ」でないと、ＳＮＭＰエージェントＳＥ１は認証エラーを出力する。
【００５１】
ステップＳ８でコミュニティ名が「Ｄｅｎｋｉ」であると、ＳＮＭＰエージェントＳＥ１は、アクセス可能を判定する（ステップＳ９）。もし、アクセス不可であると、ＳＮＭＰエージェントＳＥ１はアクセスエラーを出力する。
【００５２】
こうしたステップＳ１〜Ｓ７の処理は、図５の破線で示されている流れに相当する。
【００５３】
ステップＳ９でアクセス可能であると、ＳＮＭＰエージェントＳＥ１は、ケーブルモデム（ＣＭ２）１２１−１の上位アプリケーション部の常駐ソフトが、ＭＩＢ１２１２−１においてＷＨ値が入っている拡張ＭＩＢにアクセスし（ステップＳ１０）、拡張ＭＩＢのＷＨ値を、第２のルータ１２２−１の仮想データベース（ＤＢ）１２２１−１に、ＭＩＢと同じデータ形式（ＯＩＤ付与）で転送する（ステップＳ１１）。なお、仮想データベース（ＤＢ）１２２１−１の内部構成は、特定のＯＩＤにＷＨ値を挿入し、他のＯＩＤには数値が入らないで、スキップできるものとする。ステップＳ１１の後、第２のルータ１２２−１のＭＩＢ生成部１２２２−１で、仮想データベース（ＤＢ）１２２１−１に基づき標準ＭＩＢ１２２３−１を更新して、標準ＭＩＢ１２２３−１の特定のＯＩＤに、ＷＨ値を設定する（ステップＳ１２）。そして、ＳＮＭＰエージェントＳＥ２は、ＷＨ値の設定後、センター局３０のＳＮＭＰマネージャＡ２に、ＷＨ値設定完了通知を、第２のルータ１２２−１経由で送信する（ステップＳ１３）。
【００５４】
こうしたステップＳ８〜Ｓ１３の処理は、図５の一点鎖線で示されている流れに相当する。
【００５５】
ステップＳ１３が終了すると、センター局３０のＳＮＭＰマネージャＡ２は、ＷＨ値設定完了通知を受信後、第２のルータ１２２−１のＳＮＭＰエージェントＳＥ２に、ポーリング信号を送出する（ステップＳ１４）。この後、第２のルータ１２２−１にて、コミュニティ名を認証後、標準ＭＩＢ１２２３−１のＯＩＤで特定されるＷＨ値のみを、第３のルータ３１−１を経由して、ＳＮＭＰ通信により、センター局３０のＳＮＭＰマネージャＡ２に送信する（ステップＳ１５）。なお、センター局３０のＳＮＭＰマネージャＡ２と第２のルータ１２２１−１のＳＮＭＰエージェントＳＥ２間は、トンネリングパケット通信にしても良い。ステップＳ１５が終了すると、センター局３０のＳＮＭＰマネージャＡ２は、ＷＨ値を受信する（ステップＳ１６）。
【００５６】
こうしたステップＳ１４〜Ｓ１６の処理は、図５の二点鎖線で示されている流れに相当する。
【００５７】
ステップＳ１６が終了すると、センター局３０のＳＮＭＰマネージャＡ２は、ＩＰアドレスとＷＨ値を抽出し（ステップＳ１７）、ＷＨ値一覧表を作成して（ステップＳ１８）、処理を終了する。
【００５８】
こうして、この実施の形態によれば、スマートメータ内のルータからセンター局のルータまで、トンネリング化することで、セキュリティ上の問題を解消することができ、ＷＨ値のみを抽出するための方法も不要にすることができる。
【００５９】
さらに、この実施の形態によれば、例えば高層ビル顧客宅が電気の使用者である場合に、高層ビル内の電波の届かない各戸のスマートメータに対する通信手段として、既存ＣＡＴＶ網および設備を流用するので、新たな設備構築の規模を小さくして、スマートメータのデータを短時間で取得可能にする。
【符号の説明】
【００６０】
Ｈ−１〜Ｈ−ｎ  高層ビル顧客宅
１１−１〜１１−ｎ  ケーブルモデム（ＣＭ１）
１２−１〜１２−ｎ  スマートメータ
１２１−１〜１２１−ｎ  ケーブルモデム（ＣＭ２）
１２２−１〜１２２−ｎ  第２のルータ
１２３−１〜１２３−ｎ  メータ部
２０−１〜２０−ｎ  ＣＡＴＶ局
２１−１〜２１−ｎ  ヘッドエンド
２２−１〜２２−ｎ  ＣＡＴＶ装置
２３−１〜２３−ｎ  センターモデム
２４−１〜２４−ｎ  第１のルータ
Ａ１〜Ｘ１  ＳＮＭＰマネージャ
３０  センター局
３１−１〜３１−ｎ  第３のルータ
３２  テーブル管理サーバ
３３  データ集計サーバ
３４  統合装置
３５  タイムサーバ
３６  監視制御サーバ
【図１】
2014135559.tif 000003
【図２】
2014135559.tif 000004
【図３】
2014135559.tif 000005
【図４】
2014135559.tif 000006
【図５】
2014135559.tif 000007
【図６】
2014135559.tif 000008
【図７】
2014135559.tif 000009
【図８】
2014135559.tif 000010